(57)【特許請求の範囲】
【請求項１】
複数の鉄心片を積層して形成され、内側には上下に貫通する樹脂孔を有する鉄心本体を、樹脂溜めポットを有するモールド金型と受け金型の間にカルプレートを介して配置し、圧締めした状態で、前記モールド金型から前記カルプレートのゲート孔を介して樹脂を前記樹脂孔に注入し、前記樹脂の硬化後、前記カルプレートと共に不要樹脂を除去する積層鉄心の製造方法において、
前記ゲート孔内の前記鉄心本体側にあり、前記樹脂孔の外側にある前記鉄心本体の一部表面を覆う、前記樹脂孔に連通する樹脂Ｂと、前記樹脂溜めポットに連通する樹脂Ａとが、前記カルプレートの除去時に、前記鉄心本体の表面より離間した位置にある前記ゲート孔内、又は前記モールド金型側端部の前記ゲート孔内で分断することを特徴とする積層鉄心の製造方法。
【請求項２】
複数の鉄心片を積層して形成され、内側には上下に貫通する樹脂孔を有する鉄心本体を、樹脂溜めポットを有するモールド金型と受け金型の間にカルプレートを介して配置し、圧締めした状態で、前記モールド金型から前記カルプレートのゲート孔を介して樹脂を前記樹脂孔に注入し、前記樹脂の硬化後、前記カルプレートと共に不要樹脂を除去する積層鉄心の製造方法において、
前記ゲート孔の断面径は、前記モールド金型側より前記鉄心本体側の方が大きくなって、前記ゲート孔の形状が錐台状となっており、前記カルプレートの除去時に、前記樹脂溜めポットに連通する樹脂Ａと、前記樹脂孔に連通する樹脂Ｂが、前記鉄心本体の表面より離間した位置にある前記ゲート孔内、又は前記モールド金型側端部の前記ゲート孔内で分断することを特徴とする積層鉄心の製造方法。
【請求項３】
複数の鉄心片を積層して形成され、内側には上下に貫通する樹脂孔を有する鉄心本体を、樹脂溜めポットを有するモールド金型と受け金型の間にカルプレートを介して配置し、圧締めした状態で、前記モールド金型から前記カルプレートのゲート孔を介して樹脂を前記樹脂孔に注入し、前記樹脂の硬化後、前記カルプレートと共に不要樹脂を除去する積層鉄心の製造方法において、
前記ゲート孔の断面径は、高さ方向中間部で最小となって、前記ゲート孔の形状が鼓形状となっており、前記カルプレートの除去時に、前記樹脂溜めポットに連通する樹脂Ａと、前記樹脂孔に連通する樹脂Ｂが、前記鉄心本体の表面より離間した位置にある前記ゲート孔内、又は前記モールド金型側端部の前記ゲート孔内で分断することを特徴とする積層鉄心の製造方法。
【請求項４】
請求項２又は３記載の積層鉄心の製造方法において、前記ゲート孔内の前記鉄心本体側にある樹脂Ｂは、前記樹脂孔の外側にある前記鉄心本体の一部表面を覆うことを特徴とする積層鉄心の製造方法。
【請求項５】
複数の鉄心片を積層して形成され、内側には上下に貫通する樹脂孔を有する鉄心本体を、樹脂溜めポットを有するモールド金型と受け金型の間に配置し、圧締めした状態で、前記モールド金型から樹脂を前記樹脂孔に注入し、前記樹脂の硬化後、前記モールド金型を前記鉄心本体から離して、不要樹脂を除去する積層鉄心の製造方法において、
前記モールド金型の樹脂排出側に括れ部を設けて、該括れ部を前記樹脂溜めポットに繋がる樹脂Ａと、前記樹脂孔に繋がる樹脂Ｂの分断点としたことを特徴とする積層鉄心の製造方法。
【請求項６】
請求項５記載の積層鉄心の製造方法において、前記樹脂孔の軸方向外側にある樹脂Ｂは前記分断点を頂部とする円錐台状又は角錐台状となって、その裾部は前記樹脂孔及びその周囲を覆っていることを特徴とする積層鉄心の製造方法。
【請求項７】
請求項５又は６記載の積層鉄心の製造方法において、前記樹脂孔から永久磁石が突出し、突出した該永久磁石を前記鉄心本体の表面から突出した樹脂Ｂが覆っていることを特徴とする積層鉄心の製造方法。
【請求項８】
複数の鉄心片を積層して形成され、内側には上下に貫通する樹脂孔を有する鉄心本体を、樹脂溜めポットを有するモールド金型と受け金型の間にカルプレートを介して配置し、圧締めした状態で、前記モールド金型から前記カルプレートのゲート孔を介して樹脂を前記樹脂孔に注入し、前記樹脂の硬化後、前記カルプレートと共に不要樹脂を除去する積層鉄心の製造方法に使用する積層鉄心の製造装置であって、
前記カルプレートのゲート孔は厚み方向中間部に括れ部が設けられ、該括れ部を中心にしてそれぞれ上下方向に開くテーパ部を有しており、前記カルプレートの除去時に、前記樹脂溜めポットに連通する樹脂Ａと、前記樹脂孔に連通する樹脂Ｂが、前記鉄心本体の表面より離間した位置にある前記ゲート孔内、又は前記モールド金型側端部の前記ゲート孔内で分断することを特徴とする積層鉄心の製造装置。
【請求項９】
請求項５〜７のいずれか１記載の積層鉄心の製造方法に使用する積層鉄心の製造装置であって、前記括れ部を含む非円柱部は、前記モールド金型の前記鉄心本体側に設けられて交換可能な補助モールド金型に形成されていることを特徴とする積層鉄心の製造装置。
【請求項１０】
複数の鉄心片を積層して形成され、内側には上下に貫通する樹脂孔を有する積層鉄心において、前記樹脂孔に充填された樹脂の端部が前記積層鉄心の表面より錐台状に突出していることを特徴とする積層鉄心。
【発明の詳細な説明】
【技術分野】
【０００１】
本発明は、積層鉄心（固定子積層鉄心及び回転子積層鉄心）の鉄心本体に、例えば永久磁石を、又は鉄心本体自体を、樹脂によって封止又は接合した積層鉄心及びこの積層鉄心の製造方法並びに製造装置に関する。
【背景技術】
【０００２】
例えば、特許文献１、２には回転子積層鉄心の製造方法において、鉄心本体に磁石挿入孔を設け、それぞれの磁石挿入孔に永久磁石を配置して、鉄心本体を上型及び下型の間に配置し、樹脂を注入して永久磁石を磁石挿入孔に固定することが開示されている。
また、特許文献３には複数の鉄心片を重ね、重ねた鉄心片の上下に貫通する孔に樹脂を充填する固定子積層鉄心の製造方法が提案されている。
【０００３】
特許文献１〜３等で行われている積層鉄心の製造方法を更に具体化した従来例１、２を図４（Ａ）、（Ｂ）に示す。なお、図４（Ａ）は回転子積層鉄心を、図４（Ｂ）は固定子積層鉄心を示す。従来例１、２に係る積層鉄心の製造方法においては、鉄心片６０、６１をそれぞれ重ねて形成した鉄心本体６２、６３を、樹脂溜めポット７０、７１を有するモールド金型６５、６６と受け金型６７、６８との間に配置し上下から金型６５〜６８で圧締した状態で、それぞれの樹脂溜めポット７０、７１から樹脂７２、７３をカルプレート（ダミー板）７４、７５に形成されたゲート孔８０、８１を介して、永久磁石８４が挿入された磁石挿入孔７６及び貫通孔７７に注入している。図４（Ｃ）、（Ｄ）はそれぞれ図４（Ａ）、（Ｂ）に示した製造方法における共通の部分拡大動作説明図であるが、図４（Ａ）に対応する部分についてのみ記載する。絶縁皮膜７８は実際の厚みより厚く記載している。なお、特許文献１、３においては、カルプレートは使用されていない。
【先行技術文献】
【特許文献】
【０００４】
【特許文献１】特開２００８−４２９６７号公報
【特許文献２】特開２０１０−１５８１６４号公報
【特許文献３】特表２００３−５２９３０９号公報
【発明の概要】
【発明が解決しようとする課題】
【０００５】
しかしながら、以上に説明した樹脂封止技術においては、樹脂溜めポット７０、７１から押し出された樹脂７２、７３が最上部の鉄心片６０、６１の表面に形成されている絶縁皮膜７８に接合し、カルプレート７４、７５と共に不要な樹脂７２、７３を剥がすときに、絶縁皮膜７８も剥離する場合があった。絶縁皮膜７８が剥離すると、金属性の端板に鉄心片６０、６１が接する等して、渦電流が発生し、モータ効率が下がるという問題があった。
【０００６】
なお、図４（Ｅ）に示すように、カルプレート８５の樹脂７９を注入するゲート孔８０、８１の位置を磁石挿入孔７６、又は貫通孔７７の位置に合わせた場合は、樹脂７９が鉄心片６０、６１の絶縁皮膜に接することはないが、カルプレート８５を外すと、封止した樹脂７９に抉れ（エグレ）８３が発生するという問題があった。
【０００７】
本発明はかかる事情に鑑みてなされたもので、鉄心片の絶縁皮膜を剥離することがなく、かつ注入した樹脂に抉れ等が発生しない積層鉄心及び積層鉄心の製造方法及び製造装置を提供することを目的とする。
【課題を解決するための手段】
【０００８】
前記目的に沿う第１の発明に係る積層鉄心の製造方法は、複数の鉄心片を積層して形成され、内側には上下に貫通する樹脂孔を有する鉄心本体を、樹脂溜めポットを有するモールド金型と受け金型の間にカルプレートを介して配置し、圧締めした状態で、前記モールド金型から前記カルプレートのゲート孔を介して樹脂を前記樹脂孔に注入し、前記樹脂の硬化後、前記カルプレートと共に不要樹脂を除去する積層鉄心の製造方法において、
前記ゲート孔内の前記鉄心本体側にあり、前記樹脂孔の外側にある前記鉄心本体の一部表面を覆う、前記樹脂孔に連通する樹脂Ｂと、前記樹脂溜めポットに連通する樹脂Ａとが、前記カルプレートの除去時に、前記鉄心本体の表面より離間した位置にある前記ゲート孔内、又は前記モールド金型側端部の前記ゲート孔内で分断する。
【０００９】
第２の発明に係る積層鉄心の製造方法は、複数の鉄心片を積層して形成され、内側には上下に貫通する樹脂孔を有する鉄心本体を、樹脂溜めポットを有するモールド金型と受け金型の間にカルプレートを介して配置し、圧締めした状態で、前記モールド金型から前記カルプレートのゲート孔を介して樹脂を前記樹脂孔に注入し、前記樹脂の硬化後、前記カルプレートと共に不要樹脂を除去する積層鉄心の製造方法において、前記ゲート孔の断面径は、前記モールド金型側より前記鉄心本体側の方が大きくなって、前記ゲート孔の形状が錐台状となっており、前記カルプレートの除去時に、前記樹脂溜めポットに連通する樹脂Ａと、前記樹脂孔に連通する樹脂Ｂが、前記鉄心本体の表面より離間した位置にある前記ゲート孔内、又は前記モールド金型側端部の前記ゲート孔内で分断する。
【００１０】
第３の発明に係る積層鉄心の製造方法は、複数の鉄心片を積層して形成され、内側には上下に貫通する樹脂孔を有する鉄心本体を、樹脂溜めポットを有するモールド金型と受け金型の間にカルプレートを介して配置し、圧締めした状態で、前記モールド金型から前記カルプレートのゲート孔を介して樹脂を前記樹脂孔に注入し、前記樹脂の硬化後、前記カルプレートと共に不要樹脂を除去する積層鉄心の製造方法において、前記ゲート孔の断面径は、高さ方向中間部で最小となって、前記ゲート孔の形状が鼓形状となっており、前記カルプレートの除去時に、前記樹脂溜めポットに連通する樹脂Ａと、前記樹脂孔に連通する樹脂Ｂが、前記鉄心本体の表面より離間した位置にある前記ゲート孔内、又は前記モールド金型側端部の前記ゲート孔内で分断する。
【００１１】
第４の発明に係る積層鉄心の製造方法は、第２又は第３の発明に係る積層鉄心の製造方法において、前記ゲート孔内の前記鉄心本体側にある樹脂Ｂは、前記樹脂孔の外側にある前記鉄心本体の一部表面を覆う。
【００１２】
第５の発明に係る積層鉄心の製造方法は、複数の鉄心片を積層して形成され、内側には上下に貫通する樹脂孔を有する鉄心本体を、樹脂溜めポットを有するモールド金型と受け金型の間に配置し、圧締めした状態で、前記モールド金型から樹脂を前記樹脂孔に注入し、前記樹脂の硬化後、前記モールド金型を前記鉄心本体から離して、不要樹脂を除去する積層鉄心の製造方法において、
前記モールド金型の樹脂排出側に括れ部を設けて、該括れ部を前記樹脂溜めポットに繋がる樹脂Ａと、前記樹脂孔に繋がる樹脂Ｂの分断点とした。
【００１３】
第６の発明に係る積層鉄心の製造方法は、第５の発明に係る積層鉄心の製造方法において、前記樹脂孔の軸方向外側にある樹脂Ｂは前記分断点を頂部とする円錐台状又は角錐台状となって、その裾部は前記樹脂孔及びその周囲を覆っている。
【００１４】
第７の発明に係る積層鉄心の製造方法は、第５、第６の積層鉄心の製造方法において、前記樹脂孔から永久磁石が突出し、突出した該永久磁石を前記鉄心本体の表面から突出した樹脂Ｂが覆っている。
【００１５】
第８の発明に係る積層鉄心の製造装置は、複数の鉄心片を積層して形成され、内側には上下に貫通する樹脂孔を有する鉄心本体を、樹脂溜めポットを有するモールド金型と受け金型の間にカルプレートを介して配置し、圧締めした状態で、前記モールド金型から前記カルプレートのゲート孔を介して樹脂を前記樹脂孔に注入し、前記樹脂の硬化後、前記カルプレートと共に不要樹脂を除去する積層鉄心の製造方法に使用する積層鉄心の製造装置であって、前記カルプレートのゲート孔は厚み方向中間部に括れ部が設けられ、該括れ部を中心にしてそれぞれ上下方向に開くテーパ部を有しており、前記カルプレートの除去時に、前記樹脂溜めポットに連通する樹脂Ａと、前記樹脂孔に連通する樹脂Ｂが、前記鉄心本体の表面より離間した位置にある前記ゲート孔内、又は前記モールド金型側端部の前記ゲート孔内で分断する。
【００１６】
そして、第９の発明に係る積層鉄心の製造装置は、第５、第６、第７の発明に係る積層鉄心の製造方法に使用する積層鉄心の製造装置であって、前記括れ部を含む非円柱部は、前記モールド金型の前記鉄心本体側に設けられて交換可能な補助モールド金型に形成されている。
【００１７】
そして、第１０の発明に係る積層鉄心は、複数の鉄心片を積層して形成され、内側には上下に貫通する樹脂孔を有する積層鉄心において、前記樹脂孔に充填された樹脂の端部が前記積層鉄心の表面より錐台状に突出している。
【発明の効果】
【００１８】
第１〜第７の発明に係る積層鉄心の製造方法、第８、第９の発明に係る積層鉄心の製造装置、第１０の発明に係る積層鉄心において、モールド金型に連通する樹脂Ａと樹脂孔に連通する樹脂Ｂとの分断点を鉄心本体の表面から離したので、樹脂Ｂと接触する鉄心本体の表面から絶縁皮膜が剥離するのを防止できる。
この樹脂の分断位置は鉄心本体の表面から離れた位置にあるので、鉄心本体に充填された樹脂の強度に影響を与えない。
特に、この発明は、巻き線に影響しない領域であれば、残留樹脂が突出しても問題とならないステータ鉄心に特に有効である。
【図面の簡単な説明】
【００１９】
【図１】（Ａ）、（Ｂ）はそれぞれ本発明の第１の実施の形態に係る積層鉄心の製造方法の説明図である。
【図２】（Ａ）、（Ｂ）はそれぞれ本発明の第２、第３の実施の形態に係る積層鉄心の製造方法の説明図である。
【図３】（Ａ）〜（Ｄ）はそれぞれ本発明の第４〜第７の実施の形態に係る積層鉄心の製造方法の説明図である。
【図４】（Ａ）〜（Ｅ）は従来例に係る積層鉄心の製造方法の説明図である。
【発明を実施するための形態】
【００２０】
続いて、添付した図面を参照しながら、本発明を具体化した実施の形態について説明する。
図１（Ａ）、（Ｂ）に本発明の一実施の形態に係る積層鉄心の製造方法を適用した積層鉄心の製造装置１０の要部を示すが、受け金型１１と樹脂溜めポット１２を有するモールド金型１３との間に製造しようとする積層鉄心の鉄心本体１４を配置する。鉄心本体１４は複数の鉄心片を積層して形成され、内側には上下に貫通する樹脂孔１９を有している。鉄心本体１４とモールド金型１３との間にゲート孔（樹脂注入孔）１５が形成されたカルプレート１６を配置し、受け金型１１及びモールド金型１３により、鉄心本体１４を上下から圧締めする。
【００２１】
モールド金型１３は樹脂注入しようとする鉄心本体１４の樹脂孔１９の位置に対応して、複数の樹脂溜めポット１２を有し、それぞれには昇降するプランジャ１７が設けられ、内部の樹脂１８を押し出す構造となっている。
カルプレート１６は比較的厚い（例えば、厚みが１〜１０ｍｍ）ステンレス又はアルミニウム等の金属平板からなって、ゲート孔１５は下部の鉄心本体１４の樹脂孔１９の数だけ設けられている。なお、カルプレートの材質は上記に限らず、一般的な鋼材を使用してもよい。
カルプレート１６のゲート孔１５は、この実施の形態ではゲート孔１５の断面径がモールド金型１３側より鉄心本体１４側の方が大きくなって、円錐台（又は角錐台）状となっており、モールド金型１３側（上部）は樹脂溜めポット１２の底部に、鉄心本体１４側（下部）は直径の半分が鉄心本体１４の表面に接している。樹脂孔１９には、予め永久磁石が挿入されている磁石挿入孔の場合と、単に鉄心片を連結するための貫通孔との場合がある。
【００２２】
樹脂溜めポット１２からゲート孔１５を介して樹脂孔１９に注入された樹脂１８が硬化した後、モールド金型１３をカルプレート１６と共に、鉄心本体１４から引き離すと、ゲート孔１５の頂部（鉄心本体１４の表面より離間した位置、即ち、モールド金型１３側端部）に形成されている括れ部２０で、樹脂溜めポット１２側の樹脂１８（Ａ）と樹脂孔１９側の樹脂１８（Ｂ）が分断し、図１（Ｂ）に示すように、鉄心本体１４の表面から突出する円錐台状の突出部２１が形成される。この突出部２１の高さはカルプレート１６の厚みで決まり、不要な場合には部分的に削り取ってもよいが、例えば、鉄心本体１４がステータ鉄心の場合はそのまま残しておいても支障はない。これによって、樹脂１８（Ｂ）が樹脂孔１９の外側にある鉄心本体１４の一部表面を覆うので、鉄心本体１４のモールド金型１３に近い側の鉄心片の絶縁皮膜２３の剥離が防止される。また、樹脂が充填された孔から連続して鉄心本体の端部表面に付着するため、鉄心本体の端部付近において、鉄心片のハガレやメクレが減少する。
【００２３】
次に、図２（Ａ）に示す本発明の第２の実施の形態に係る積層鉄心の製造方法について説明する。なお、以上の実施の形態に係る積層鉄心の製造方法と同一の構成要素には同一の番号を付して詳しい説明を省略する。
図２（Ａ）に示すように、この実施の形態では、カルプレート２５のゲート孔２６が高さ方向（厚み方向）中間位置に設けられた括れ部２７を中心にしてそれぞれ上下方向に開くテーパ部を有する鼓形形状となっている。この場合、モールド金型１３をカルプレート２５と共に鉄心本体１４から離反すると、括れ部２７の所で、樹脂１８が分断し、樹脂溜めポット１２側の円錐台（又は角錐台）状の樹脂１８（Ａ）と樹脂孔１９側の分断点を頂部とする円錐台（又は角錐台）状の樹脂１８（Ｂ）とになる。なお、前記実施の形態と同様、円錐台状の樹脂１８（Ｂ）は鉄心本体１４の一部を覆っている。
【００２４】
カルプレート２５を鉄心本体１４から取り外すと、鉄心本体１４から上部に飛び出す突出部が形成されるが、ステータだけでなく突出部の高さを低くすれば、ロータ鉄心にも使用できる。この場合も絶縁皮膜２３の剥離はない。なお、カルプレート２５の上部に残った樹脂（不要樹脂）は、カルプレート２５を鉄心本体１４から取外した後、ゲート孔２６に向けて下からピンを通すことによって取外すことかできる（第１の実施の形態においても同じ）。
【００２５】
図２（Ｂ）に、本発明の第３の実施の形態に係る積層鉄心の製造方法を示す。この実施の形態では、カルプレートが使用されておらず、モールド金型２９の樹脂溜めポット３０の樹脂押し出し側に、円柱部３１と円錐台部（又は角錐台部）３２が設けられ、これらはモールド金型２９の樹脂排出側にある括れ部３３で連結されている。括れ部３３を頂部とする円錐台部３２の裾部は前記実施の形態と同様、鉄心本体１４の最表面の鉄心片の一部（樹脂孔１９とその周囲）を覆っている。
【００２６】
樹脂孔１９に樹脂注入後、モールド金型２９を鉄心本体１４から引き離すと、固まった樹脂が括れ部３３で分断する。モールド金型２９に残った樹脂１８（Ａ）は、プランジャ１７を樹脂溜めポット３０から引き抜いて、一方側からピン等を入れて除去する。この場合も、樹脂孔１９に繋がる円錐台部３２の樹脂１８（Ｂ）が鉄心本体１４の表面に残るので、絶縁皮膜２３の破壊は生じない。これによって、樹脂１８（Ｂ）が樹脂孔１９の外側にある鉄心本体１４の一部表面を覆うので、鉄心本体１４の端部付近において、鉄心片のハガレやメクレも減少する。
【００２７】
続いて、図３（Ａ）〜（Ｄ）に示す本発明の第４〜第７の実施の形態に係る積層鉄心の製造方法について説明する。なお、第４〜第７の実施の形態においては、樹脂孔３４を充填して、鉄心本体１４側に残る樹脂３５（Ｂ）〜３８（Ｂ）と樹脂溜めポット側に残る樹脂（Ａ）が存在する。ここで、樹脂３５（Ｂ）〜３８（Ｂ）の一部によって、樹脂孔３４から一部突出する突出部３９〜４２が存在するが、この突出部３９〜４２は、カルプレート（図１、図２参照）で形成される場合と、モールド金型の端部で形成される場合があり、それぞれに分断点となる括れ部３９ａ〜４２ａを有している。
【００２８】
図３（Ａ）に示す第４の実施の形態に係る積層鉄心の製造方法においては、突出部３９の周囲に樹脂孔３４の端部と同一レベル又は僅少低い平坦部４４が形成されている。
図３（Ｂ）に示す第５の実施の形態に係る積層鉄心の製造方法においては、樹脂孔３４に突出する永久磁石４５が配置され、樹脂３６（Ｂ）は永久磁石４５を覆っている。突出部４０には平坦部４６が設けられ、樹脂孔３４から突出している。
この第４、第５の実施の形態においては、鉄心本体１４の表面を樹脂が覆っていないので、絶縁皮膜２３が剥がれることはない。
【００２９】
図３（Ｃ）に示す第６の実施の形態に係る積層鉄心の製造方法においては、突出部４１の周囲が樹脂孔３４の外側まで被さっているが、被さった部分の樹脂３７（Ｂ）は剥離しないので、絶縁皮膜２３は剥離しない。
図３（Ｄ）に示す第７の実施の形態に係る積層鉄心の製造方法において、樹脂孔３４の内部に永久磁石４５が挿入され、突出部４２の周囲には平坦部４７が設けられ、樹脂孔３４の周囲を覆っている。樹脂孔３４から突出した永久磁石４５は樹脂３８（Ｂ）によって完全に被覆されている。
第７の実施の形態では樹脂孔３４の周囲を覆っている樹脂３８（Ｂ）は剥離しないので、絶縁皮膜２３は剥離しない。また、第６、第７の実施の形態においては、鉄心本体１４の端部付近において、鉄心片のハガレやメクレも減少する。
【００３０】
なお、モールド金型が鉄心本体に接する部分をモールド金型から分離して交換可能な補助モールド金型とし、この補助モールド金型に、樹脂溜めポットに直接連通する例えば、括れ部を含む非円柱部を形成することもできる。これによって、鉄心本体の形状に応じて、補助モールド金型の交換が可能となる。
【００３１】
本発明は前記した実施の形態に限定されるものではなく、本発明の要旨を変更しない範囲でその構成を変更することもできる。例えば、第１〜第７の実施の形態に係る積層鉄心の製造方法の２つ以上を組み合わせて、一つの積層鉄心の製造方法を形成する場合も本発明は適用される。
【符号の説明】
【００３２】
１０：積層鉄心の製造装置、１１：受け金型、１２：樹脂溜めポット、１３：モールド金型、１４：鉄心本体、１５：ゲート孔、１６：カルプレート、１７：プランジャ、１８：樹脂、１９：樹脂孔、２０：括れ部、２１：突出部、２３：絶縁皮膜、２５：カルプレート、２６：ゲート孔、２７：括れ部、２９：モールド金型、３０：樹脂溜めポット、３１：円柱部、３２：円錐台部、３３：括れ孔、３４：樹脂孔、３５（Ｂ）〜３８（Ｂ）：樹脂、３９〜４２：突出部、３９ａ〜４２ａ：括れ部、４４：平坦部、４５：永久磁石、４６、４７：平坦部
【図１】
0006441071.tif 000002
【図２】
0006441071.tif 000003
【図３】
0006441071.tif 000004
【図４】
0006441071.tif 000005